(57)【要約】【課題】光ディスクの寿命をより確実にユーザに知らせることができるディスク装置を提供する。【解決手段】ディスク装置１００に、光ディスクのＲＭＡに記憶されている記録日時に基づいて、データが光ディスクに記録されている期間である記録期間を算出し、当該記録期間が所定期間以上の場合に、光ディスクの寿命が終わりに近いと判断する判断手段（ＣＰＵ１４，第１寿命判断プログラム１６Ｂ）と、判断手段により、光ディスクの寿命が終わりに近いと判断された場合に、表示部８に光ディスクの寿命が終わりに近いことを示す所定の表示を行わせる表示制御手段（ＣＰＵ１４，表示制御プログラム１６Ｅ）と、を備えた。【選択図】図２
2008165868.tif 000002
【特許請求の範囲】
【請求項１】
光ディスクに記録されているデータを光学的に読み取る光ピックアップを備えるディスク装置において、
前記光ディスクが書換え可能か否かを判別する判別手段と、
前記光ピックアップにより読み取られた光ディスクのＲＭＡ（Recording  Management  Area）に記憶されている記録日時に基づいて、データが前記光ディスクに記録されている期間である記録期間を算出し、当該記録期間が所定期間以上の場合に、前記光ディスクの寿命が終わりに近いと判断するとともに、前記判別手段により前記光ディスクが書換え可能と判別された場合であって、前記光ディスクのＲＭＡに記憶されている記録回数が所定値以上の場合に、前記光ディスクの寿命が終わりに近いと判断する第１判断手段と、
前記光ピックアップによる読取エラーの回数が所定回数以上の場合に、前記光ディスクの寿命が終わりに近いと判断する第２判断手段と、
前記第１判断手段又は第２判断手段により、前記光ディスクの寿命が終わりに近いと判断された場合に、表示部に前記光ディスクの寿命が終わりに近いことを示す所定の表示を行わせる表示制御手段と、
前記第１判断手段又は前記第２判断手段により、前記光ディスクの寿命が終わりに近いと判断された場合に、前記光ディスクに記録されているデータを他の記憶媒体に記憶させる記憶制御手段と、
を備えることを特徴とするディスク装置。
【請求項２】
光ディスクに記録されているデータを光学的に読み取る光ピックアップを備えるディスク装置において、
前記光ピックアップにより読み取られた光ディスクのＲＭＡ（Recording  Management  Area）に記憶されている記録日時に基づいて、データが前記光ディスクに記録されている期間である記録期間を算出し、当該記録期間が所定期間以上の場合に、前記光ディスクの寿命が終わりに近いと判断する判断手段と、
前記判断手段により、前記光ディスクの寿命が終わりに近いと判断された場合に、表示部に前記光ディスクの寿命が終わりに近いことを示す所定の表示を行わせる表示制御手段と、
を備えることを特徴とするディスク装置。
【請求項３】
光ディスクに記録されているデータを光学的に読み取る光ピックアップを備えるディスク装置において、
前記光ピックアップによる読取エラーの回数が所定回数以上の場合に、前記光ディスクの寿命が終わりに近いと判断する判断手段と、
前記判断手段により、前記光ディスクの寿命が終わりに近いと判断された場合に、表示部に前記光ディスクの寿命が終わりに近いことを示す所定の表示を行わせる表示制御手段と、
を備えることを特徴とするディスク装置。
【請求項４】
前記判断手段は、
前記光ディスクのＲＭＡに記憶されている記録回数が所定値以上の場合に、前記光ディスクの寿命が終わりに近いと判断することを特徴とする請求項２又は３に記載のディスク装置。
【請求項５】
前記光ディスクが書換え可能か否かを判別する判別手段を備え、
前記判断手段は、
前記判別手段により前記光ディスクが書換え可能と判別された場合に、前記光ディスクのＲＭＡに記憶されている記録回数に基づく判断を行うことを特徴とする請求項４に記載のディスク装置。
【請求項６】
前記判断手段により、前記光ディスクの寿命が終わりに近いと判断された場合に、前記光ディスクに記録されているデータを他の記憶媒体に記憶させる記憶制御手段を備えることを特徴とする請求項２〜５の何れか一項に記載のディスク装置。
【発明の詳細な説明】
【技術分野】
【０００１】
本発明は、ディスク装置に関する。
【背景技術】
【０００２】
従来、光ディスクのＲＭＡ（Recording  Management  Area）を参照して、当該光ディスクの記録可能回数を推定し、推定した記録可能回数を表示部に表示させるものが知られている（例えば、特許文献１）。
また、光ディスクに記録されたプログラム等のインストール可能回数をＲＭＡに記憶させてインストール管理を行うものも知られている（例えば、特許文献２）。
【特許文献１】特開２００６−１９６１０１号公報
【特許文献２】特開２００２−２４４７５３号公報
【発明の開示】
【発明が解決しようとする課題】
【０００３】
しかしながら、ＤＶＤ−Ｒ等の書換え不可能な光ディスクでは、光ディスクの寿命は記録可能回数によらないため、特許文献１の発明では、書換え不可能な光ディスクの寿命をユーザに知らせることはできないという問題がある。また、特許文献２は、インストール回数の管理についての発明であり、本問題を解決することはできない。
【０００４】
本発明の課題は、光ディスクの寿命をより確実にユーザに知らせることができるディスク装置を提供することである。
【課題を解決するための手段】
【０００５】
請求項１に記載の発明は、光ディスクに記録されているデータを光学的に読み取る光ピックアップを備えるディスク装置において、
前記光ディスクが書換え可能か否かを判別する判別手段と、
前記光ピックアップにより読み取られた光ディスクのＲＭＡ（Recording  Management  Area）に記憶されている記録日時に基づいて、データが前記光ディスクに記録されている期間である記録期間を算出し、当該記録期間が所定期間以上の場合に、前記光ディスクの寿命が終わりに近いと判断するとともに、前記判別手段により前記光ディスクが書換え可能と判別された場合であって、前記光ディスクのＲＭＡに記憶されている記録回数が所定値以上の場合に、前記光ディスクの寿命が終わりに近いと判断する第１判断手段と、
前記光ピックアップによる読取エラーの回数が所定回数以上の場合に、前記光ディスクの寿命が終わりに近いと判断する第２判断手段と、
前記第１判断手段又は第２判断手段により、前記光ディスクの寿命が終わりに近いと判断された場合に、表示部に前記光ディスクの寿命が終わりに近いことを示す所定の表示を行わせる表示制御手段と、
前記第１判断手段又は前記第２判断手段により、前記光ディスクの寿命が終わりに近いと判断された場合に、前記光ディスクに記録されているデータを他の記憶媒体に記憶させる記憶制御手段と、
を備えることを特徴としている。
【０００６】
請求項２に記載の発明は、光ディスクに記録されているデータを光学的に読み取る光ピックアップを備えるディスク装置において、
前記光ピックアップにより読み取られた光ディスクのＲＭＡ（Recording  Management  Area）に記憶されている記録日時に基づいて、データが前記光ディスクに記録されている期間である記録期間を算出し、当該記録期間が所定期間以上の場合に、前記光ディスクの寿命が終わりに近いと判断する判断手段と、
前記判断手段により、前記光ディスクの寿命が終わりに近いと判断された場合に、表示部に前記光ディスクの寿命が終わりに近いことを示す所定の表示を行わせる表示制御手段と、
を備えることを特徴としている。
【０００７】
請求項３に記載の発明は、光ディスクに記録されているデータを光学的に読み取る光ピックアップを備えるディスク装置において、
前記光ピックアップによる読取エラーの回数が所定回数以上の場合に、前記光ディスクの寿命が終わりに近いと判断する判断手段と、
前記判断手段により、前記光ディスクの寿命が終わりに近いと判断された場合に、表示部に前記光ディスクの寿命が終わりに近いことを示す所定の表示を行わせる表示制御手段と、
を備えることを特徴としている。
【０００８】
請求項４に記載の発明は、請求項２又は３に記載のディスク装置において、
前記判断手段は、
前記光ディスクのＲＭＡに記憶されている記録回数が所定値以上の場合に、前記光ディスクの寿命が終わりに近いと判断することを特徴としている。
【０００９】
請求項５に記載の発明は、請求項４に記載のディスク装置において、
前記光ディスクが書換え可能か否かを判別する判別手段を備え、
前記判断手段は、
前記判別手段により前記光ディスクが書換え可能と判別された場合に、前記光ディスクのＲＭＡに記憶されている記録回数に基づく判断を行うことを特徴としている。
【００１０】
請求項６に記載の発明は、請求項２〜５の何れか一項に記載のディスク装置において、
前記判断手段により、前記光ディスクの寿命が終わりに近いと判断された場合に、前記光ディスクに記録されているデータを他の記憶媒体に記憶させる記憶制御手段を備えることを特徴としている。
【発明の効果】
【００１１】
請求項１に記載の発明によれば、第１判断手段により、光ピックアップにより読み取られた光ディスクのＲＭＡ（Recording  Management  Area）に記憶されている記録日時に基づいて、データが光ディスクに記録されている期間である記録期間が算出され、当該記録期間が所定期間以上の場合に、光ディスクの寿命が終わりに近いと判断され、表示制御手段により、第１判断手段によって、光ディスクの寿命が終わりに近いと判断された場合に、表示部に光ディスクの寿命が終わりに近いことを示す所定の表示が行われるので、記録期間に基づいて寿命判断がなされることにより書換え不可能な光ディスクであっても寿命が判断されるとともに、光ディスクの寿命が終わりに近い場合には表示部に所定の表示がなされることとなって、光ディスクの寿命をより確実にユーザに知らせることができる。
【００１２】
また、第２判断手段により、光ピックアップによる読取エラーの回数が所定回数の場合に、光ディスクの寿命が終わりに近いと判断され、表示制御手段により、第２判断手段によって、光ディスクの寿命が終わりに近いと判断された場合に、表示部に光ディスクの寿命が終わりに近いことを示す所定の表示が行われるので、読取エラーの回数に基づいて寿命判断がなされることにより書換え不可能な光ディスクであっても寿命が判断されるとともに、光ディスクの寿命が終わりに近い場合には表示部に所定の表示がなされることとなって、光ディスクの寿命をより確実にユーザに知らせることができる。
【００１３】
また、第１判断手段により、光ディスクのＲＭＡに記憶されている記録回数が所定値以上の場合に、光ディスクの寿命が終わりに近いか否かが判断されるので、書換え可能な光ディスクの場合には、記録期間又は読取エラーの他に記録回数に基づいて寿命判断がなされることとなって、より確実に光ディスクの寿命を判断することができる。
【００１４】
また、判別手段により、光ディスクが書換え可能か否かが判別され、第１判断手段により、判別手段によって光ディスクが書換え可能と判別された場合に、光ディスクのＲＭＡに記憶されている記録回数に基づく判断を行うので、書換え不可能な光ディスクの場合には記録回数に基づく判断が行われず、無駄に記録回数に基づく判断を行わないこととなって、より効率的に光ディスクの寿命を判断することができる。
【００１５】
また、記憶制御手段により、第１判断手段又は第２判断手段によって、光ディスクの寿命が終わりに近いと判断された場合に、光ディスクに記録されているデータが他の記憶媒体に記憶されるので、光ディスクの寿命により、当該光ディスクに記録されているデータを失ってしまうことを確実に防ぐことができる。
【００１６】
請求項２に記載の発明によれば、判断手段により、光ピックアップにより読み取られた光ディスクのＲＭＡ（Recording  Management  Area）に記憶されている記録日時に基づいて、データが光ディスクに記録されている期間である記録期間が算出され、当該記録期間が所定期間以上の場合に、光ディスクの寿命が終わりに近いと判断され、表示制御手段により、判断手段によって、光ディスクの寿命が終わりに近いと判断された場合に、表示部に光ディスクの寿命が終わりに近いことを示す所定の表示が行われるので、記録期間に基づいて寿命判断がなされることにより書換え不可能な光ディスクであっても寿命が判断されるとともに、光ディスクの寿命が終わりに近い場合には表示部に所定の表示がなされることとなって、光ディスクの寿命をより確実にユーザに知らせることができる。
【００１７】
請求項３に記載の発明によれば、光ピックアップにより、光ディスクに記録されているデータが光学的に読み取られ、判断手段により、光ピックアップによる読取エラーの回数が所定回数以上の場合に、光ディスクの寿命が終わりに近いと判断され、表示制御手段により、判断手段によって、光ディスクの寿命が終わりに近いと判断された場合に、表示部に光ディスクの寿命が終わりに近いことを示す所定の表示が行われるので、読取エラーの回数に基づいて寿命判断がなされることにより書換え不可能な光ディスクであっても寿命が判断されるとともに、光ディスクの寿命が終わりに近い場合には表示部に所定の表示がなされることとなって、光ディスクの寿命をより確実にユーザに知らせることができる。
【００１８】
請求項４に記載の発明によれば、請求項２又は３に記載の発明と同様の効果が得られることは勿論のこと、特に、判断手段により、光ディスクのＲＭＡに記憶されている記録回数が所定値以上の場合に、光ディスクの寿命が終わりに近いと判断されるので、書換え可能な光ディスクの場合には、記録期間又は読取エラーの他に記録回数に基づいて寿命判断がなされることとなって、より確実に光ディスクの寿命を判断することができる。
【００１９】
請求項５に記載の発明によれば、請求項４に記載の発明と同様の効果が得られることは勿論のこと、特に、判別手段により、光ディスクが書換え可能か否かが判別され、判断手段により、判別手段によって光ディスクが書換え可能と判別された場合に、光ディスクのＲＭＡに記憶されている記録回数に基づく判断を行うので、書換え不可能な光ディスクの場合には記録回数に基づく判断が行われず、無駄に記録回数に基づく判断を行わないこととなって、より効率的に光ディスクの寿命を判断することができる。
【００２０】
請求項６に記載の発明によれば、請求項２〜５に記載の発明と同様の効果が得られることは勿論のこと、特に、記憶制御手段により、判断手段によって、光ディスクの寿命が終わりに近いと判断された場合に、光ディスクに記録されているデータが他の記憶媒体に記憶されるので、光ディスクの寿命により、当該光ディスクに記録されているデータを失ってしまうことを確実に防ぐことができる。
【発明を実施するための最良の形態】
【００２１】
以下、図を参照して、本発明に係るディスク装置を実施するための最良の形態を詳細に説明する。
【００２２】
まず、本発明に係るディスク装置１００は、例えば、図１及び図２に示すように、光ピックアップ１，ＲＦアンプ２，モータ３，サーボ回路４，信号処理部５，トラックバッファ６，システムデコーダ７，表示部８，音出力部９，エンコーダ１０，ＨＤＤ（Hard  Disk  Drive）１１，操作部１２，システムマイコン１３等を備えて構成されている。
なお、本発明にかかる光ディスクｄは、円盤状に形成されており、ディスク装置１００の後述するターンテーブルに回転支持されるようになっている。
【００２３】
光ピックアップ１は、例えば、対物レンズ（図示省略），レーザダイオード（図示省略），光検出器（図示省略），レーザ駆動部（図示省略）等を備えて構成される。そして、光ピックアップ１は、レーザダイオードから発光されるレーザ光を対物レンズにより集光させてレーザビームを生成し、当該レーザビームを光ディスクｄに照射する。また、光ピックアップ１は、光ディスクｄに照射されたレーザビームの反射光を光検出器に検出させる。
光検出器は、当該反射光を電気信号（反射光検出信号）に変換し、反射光検出信号をＲＦアンプ２に出力する。なお、光ピックアップ１は、光ディスクｄからの対象のデータを適宜読み出すことができるように、所定のガイド軸等により、光ディスクｄの径方向に移動自在に支持されている。
レーザ駆動部は、例えば、システムマイコン１３から入力される読取制御信号に従って、レーザダイオードを駆動して、光ディスクｄに読取に必要な所定のレーザビームを照射させる。また、レーザ駆動部は、システムマイコン１３から入力される書込制御信号に従って、レーザダイオードを駆動して、光ディスクｄに映像音声データを書き込ませる。
【００２４】
ＲＦアンプ２は、例えば、光ピックアップ１から出力された反射光検出信号から、ＲＦ信号，トラッキング信号，フォーカス信号等を生成する。さらに、ＲＦアンプ２は、ＲＦ信号をデータスライスした二値化信号を生成する。ＲＦアンプ２は、生成したトラッキング信号をサーボ回路４に出力し、また、生成した二値化信号を再生信号として信号処理部５に出力する。
【００２５】
モータ３は、例えば、光ディスクｄを搭載する所定のターンテーブルを回転させるためのスピンドルモータ（図示省略）等を備えて構成される。モータ３は、例えば、サーボ回路４により制御され、光ディスクｄを例えば線速度が一定となるように回転運動させる。
【００２６】
サーボ回路４は、例えば、モータ３を駆動制御し、所定の回転速度で回転運動させる。また、サーボ回路４は、ＲＦアンプ２から出力されるトラッキング信号等により、スレッドモータ（図示省略）を駆動制御し、光ピックアップ１を光ディスクｄの径方向に適宜移動させる。
【００２７】
信号処理部５は、例えば、ＲＦアンプ２から出力される再生信号を復調するとともに、誤り訂正処理等を施す。信号処理部５は、この復調等により得られた復調データをトラックバッファ６に順次出力する。
【００２８】
トラックバッファ６は、例えば、所定容量のＲＡＭ（Random  Access  Memory）（図示省略）等を備えて構成され、信号処理部５から出力された復調データを順次記憶する。なお、トラックバッファ６に記憶された復調データは、システムデコーダ７に逐次出力される。
【００２９】
システムデコーダ７は、例えば、トラックバッファ６から出力された復調データをデコードして、映像音声データ（映像データ及び音声データ）等を生成する。システムデコーダ７は、生成した映像データ及び音声データ等をそれぞれ表示部８及び音出力部９に出力する。
【００３０】
表示部８は、例えば、ＬＣＤ（Liquid  Crystal  Display）等を備えて構成され、システムデコーダ７から出力される映像データに基づく映像を表示する。
また、表示部８は、ＣＰＵ１４が後述する表示制御プログラム１６Ｅを実行することにより制御されて、例えば、ディスク装置１００に挿入された光ディスクｄの寿命が終わりに近いことを示す所定の表示（アイコン等）を表示する。
【００３１】
音出力部９は、例えば、スピーカ等を備えて構成され、システムデコーダ７から出力される音声データに基づく音声を出力する。
【００３２】
エンコーダ１０は、光ディスクｄに記憶させる映像音声データに所定の符号化処理を行って、システムマイコン１３へ出力する。
また、エンコーダ１０は、システムデコーダ７によりデコードされ、システムマイコン１３から出力される映像音声データに所定の符号化処理を行う。
【００３３】
ＨＤＤ１１は、例えば、エンコーダ１０により符号化処理され、システムマイコン１３から出力される映像音声データを記憶し、記憶媒体として機能する。
【００３４】
操作部１２は、例えば、リモコン（図示省略）又はディスク装置１００本体に設けられた各種操作キー等を備えて構成される。
【００３５】
システムマイコン１３は、例えば、図２に示すように、ＣＰＵ（Central  Processing  Unit）１４，ＲＡＭ１５，記憶部１６等を備えて構成されている。
【００３６】
ＣＰＵ１４は、記憶部１６に格納された処理プログラム等を読み出して、ＲＡＭ１５に展開して実行することにより、ディスク装置１００全体の制御を行う。
【００３７】
ＲＡＭ１５は、ＣＰＵ１４により実行された処理プログラム等を、ＲＡＭ１５内のプログラム格納領域に展開するとともに、入力データや上記処理プログラムが実行される際に生じる処理結果等をデータ格納領域に格納する。
【００３８】
記憶部１６は、例えば、プログラムやデータ等が予め記憶されている記録媒体（図示せず）を有しており、この記録媒体は、例えば、半導体メモリ等で構成されている。また、記憶部１６は、ＣＰＵ１４がディスク装置１００全体を制御する機能を実現させるための各種データ，各種処理プログラム，これらプログラムの実行により処理されたデータ等を記憶する。より具体的には、記憶部１６は、例えば、図２に示すように、判別プログラム１６Ａ，第１寿命判断プログラム１６Ｂ，再生制御プログラム１６Ｃ，第２寿命判断プログラム１６Ｄ，表示制御プログラム１６Ｅ，記憶制御プログラム１６Ｆ等を格納している。
【００３９】
判別プログラム１６Ａは、例えば、ＣＰＵ１４に、ディスク装置１００に挿入された光ディスクｄが、ＤＶＤか否かを判別するとともに、当該光ディスクｄがＤＶＤであると判別した場合に、当該光ディスクｄが書換え可能か否かを判別する機能を実現させるプログラムである。より具体的には、判別プログラム１６Ａは、例えば、ＣＰＵ１４に、光ピックアップ１を制御して、ディスク装置１００に挿入されたディスクｄの所定領域に記憶されているディスク種類に関する情報を読み出させ、当該情報に基づいて、光ディスクｄがＤＶＤか否か、及び、書換え可能か否かを判別する機能を実現させるプログラムである。ＣＰＵ１４は、かかる判別プログラム１６Ａを実行することにより、判別手段として機能する。
【００４０】
第１寿命判断プログラム１６Ｂは、例えば、ＣＰＵ１４に、光ディスクｄのＲＭＡ（Recording  Management  Area）に記憶されている記録日時に基づいて、データが光ディスクｄに記録されている期間である記録期間を算出し、当該記録期間が所定期間以上の場合に、光ディスクｄの寿命が終わりに近いと判断するとともに、判別プログラム１６Ａを実行することにより光ディスクｄが書換え可能とされた場合であって、光ディスクｄのＲＭＡに記憶されている記録回数が所定値以上の場合に、光ディスクｄの寿命が終わりに近いと判断する機能を実現させるプログラムである。ＣＰＵ１４は、かかる第１寿命判断プログラム１６Ｂを実行することにより、第１判断手段及び判断手段として機能する。
【００４１】
再生制御プログラム１６Ｃは、例えば、ＣＰＵ１４に、操作部１２から入力される操作信号に従って、光ピックアップ１，サーボ回路４，モータ３等を制御して、光ディスクｄからデータのアドレスを読み出させ、当該アドレスに従って、データを読み出させ、ＲＦアンプ２，信号処理部５，トラックバッファ６，システムデコーダ７等を制御して、当該データから映像データ及び音声データ等を生成させ、生成した映像データ及び音声データ等を表示部８及び音出力部９等に出力させる機能を実現させるプログラムである。
【００４２】
第２寿命判断プログラム１６Ｄは、例えば、ＣＰＵ１４に、光ピックアップ１による読取エラーの回数が所定回数以上の場合に、光ディスクｄの寿命が終わりに近いと判断する機能を実現させるプログラムである。ＣＰＵ１４は、かかる第２寿命判断プログラム１６Ｄを実行することにより、第２判断手段，判断手段として機能する。
【００４３】
表示制御プログラム１６Ｅは、例えば、ＣＰＵ１４に、第１寿命判断プログラム１６Ｂ又は第２寿命判断プログラム１６Ｄを実行することにより、光ディスクｄの寿命が終わりに近いと判断した場合に、表示部８に光ディスクｄの寿命が終わりに近いことを示す所定の表示を行わせる機能を実現させるプログラムである。ここで、所定の表示とは、例えば、再生時間の表示を行う領域に表示されるアイコン表示等のように、ＤＶＤに記憶された映像データの再生画像の表示に対して妨げとならない形の表示であってもよいし、「光ディスクの寿命が終わりに近いです」等の表示が表示部８の画面全体に表示される形の表示であってもよい。ＣＰＵ１４は、かかる表示制御プログラム１６Ｅを実行することにより、表示制御手段として機能する。
【００４４】
記憶制御プログラム１６Ｆは、例えば、ＣＰＵ１４に、第１寿命判断プログラム１６Ｂ又は第２寿命判断プログラム１６Ｄを実行することにより、光ディスクｄの寿命が終わりに近いと判断した場合に、光ディスクｄに記録されているデータを他の記憶媒体としてのＨＤＤ１１に記憶させる機能を実現させるプログラムである。具体的には、記憶制御プログラム１６Ｆは、例えば、ＣＰＵ１４に、光ディスクｄの寿命が終わりに近いと判断した場合に、当該光ディスクｄに記憶されているデータを光ピックアップ１などを制御して読み出させ、読み出されたデータをシステムデコーダ７によりデコードさせた後、エンコーダ１０により所定の符号化処理を行って、ＨＤＤ１１に記憶させる機能を実現させるプログラムである。ＣＰＵ１４は、かかる記憶制御プログラム１６Ｆを実行することにより、記憶制御手段として機能する。
【００４５】
次に、上述のような構成の本実施形態に係るディスク装置１００における寿命判断動作について図３に示すフローチャートを参照しながら説明する。
まず、ユーザにより、光ディスクｄがディスク装置１００に挿入されると（ステップＳ１）、ＣＰＵ１４は、判別プログラム１６Ａを実行することにより、当該光ディスクｄが、ＤＶＤか否かを判別する（ステップＳ２）。
【００４６】
ステップＳ２において、ＣＰＵ１４が、ディスク装置１００に挿入された光ディスクｄがＤＶＤ以外の光ディスクｄであると判別した場合には（ステップＳ２；Ｎｏ）、ステップＳ８に進む。
ステップＳ２において、ＣＰＵ１４が、ディスク装置１００に挿入された光ディスクｄがＤＶＤであると判別した場合には（ステップＳ２；Ｙｅｓ）、ＣＰＵ１４は、判別プログラム１６Ａの実行に基づいて、当該光ディスクｄが書換え可能か否かを判別する（ステップＳ３）。
【００４７】
ステップＳ３において、ＣＰＵ１４が、ディスク装置１００に挿入された光ディスクがＤＶＤ−Ｒ等の書換え不可能な光ディスクｄであると判別した場合には（ステップＳ３；Ｎｏ）、ＣＰＵ１４は、第１寿命判断プログラム１６Ｂを実行することにより、光ディスクｄのＲＭＡに記憶されている記録日時に基づいて記録期間を算出し、当該記録期間が所定期間以上か否かを判断する（ステップＳ４）。
【００４８】
ステップＳ４において、ＣＰＵ１４が、光ディスクｄに記録されているデータの記録期間が所定期間より短いと判断した場合には（ステップＳ４；Ｎｏ）、ステップＳ８に進む。
ステップＳ４において、ＣＰＵ１４が、光ディスクｄに記録されているデータの記録期間が所定期間以上と判断した場合には、光ディスクｄの寿命が終わりに近いと判断して（ステップＳ４；Ｙｅｓ）、ステップＳ６に進む。
【００４９】
ステップＳ３において、ＣＰＵ１４が、ディスク装置１００に挿入された光ディスクがＤＶＤ−ＲＷやＤＶＤ−ＲＡＭ等の書換え可能な光ディスクｄであると判別した場合には（ステップＳ３；Ｙｅｓ）、ＣＰＵ１４は、第１寿命判断プログラム１６Ｂを実行することにより、光ディスクｄのＲＭＡに記憶されている記録日時及び記録回数を参照し、光ディスクｄに記憶されているデータの記録期間が所定期間以上か否か、及び、記録回数が所定値以上か否かを判断する（ステップＳ５）。
【００５０】
ステップＳ５において、ＣＰＵ１４が、光ディスクｄに記憶されているデータの記録期間が所定期間より短く、且つ、記録回数が所定値より少ないと判断した場合には（ステップＳ５；Ｎｏ）、ステップＳ８に進む。
ステップＳ５において、ＣＰＵ１４が、光ディスクｄに記憶されているデータの記録期間が所定期間以上、及び／又は、記録回数が所定値以上と判断した場合には（ステップＳ５；Ｙｅｓ）、ＣＰＵ１４は、表示制御プログラム１６Ｅを実行することにより、表示部８に光ディスクｄの寿命が終わりに近いことを示す所定の表示（アイコン表示等）を行わせる（ステップＳ６）。
【００５１】
次に、ＣＰＵ１４は、記憶制御プログラム１６Ｆを実行することにより、光ディスクｄに記録されているデータをＨＤＤ１１に記憶させる（ステップＳ７）。
【００５２】
次に、ＣＰＵ１４は、再生制御プログラム１６Ｃを実行することにより、操作部１２から入力される操作信号に従って、光ピックアップ１，サーボ回路４，モータ３，ＲＦアンプ２，信号処理部５，トラックバッファ６，システムデコーダ７等を制御して、光ディスクｄに記憶されているデータの再生を開始させる（ステップＳ８）。
【００５３】
次に、ＣＰＵ１４は、第２寿命判断プログラム１６Ｄを実行することにより、光ピックアップ１による読取エラーの回数が所定回数以上か否かを判断する（ステップＳ９）。
【００５４】
ステップＳ９において、光ピックアップ１による読取エラーの回数が所定回数より少ないと判断した場合には（ステップＳ９；Ｎｏ）、本処理を終了する。
ステップＳ９において、光ピックアップ１による読取エラーの回数が所定回数以上の場合には、光ディスクｄの寿命が終わりに近いと判断して（ステップＳ９；Ｙｅｓ）、ＣＰＵ１４は、表示制御プログラム１６Ｅを実行することにより、表示部８に光ディスクｄの寿命が終わりに近いことを示す所定の表示（アイコン表示等）を行わせる（ステップＳ１０）。
【００５５】
次に、ＣＰＵ１４は、記憶制御プログラム１６Ｆを実行することにより、光ディスクｄに記録されているデータをＨＤＤ１１に記憶させ（ステップＳ１１）、本処理を終了する。
【００５６】
以上に説明した本実施形態に係るディスク装置１００によれば、ＣＰＵ１４が第１寿命判断プログラム１６Ｂを実行することにより、光ピックアップ１により読み取られた光ディスクｄのＲＭＡ（Recording  Management  Area）に記憶されている記録日時に基づいて、データが光ディスクｄに記録されている期間である記録期間が算出され、当該記録期間が所定期間以上の場合に、光ディスクｄの寿命が終わりに近いと判断され、ＣＰＵ１４が表示制御プログラム１６Ｅを実行することにより、第１寿命判断プログラム１６Ｂを実行することによって、光ディスクｄの寿命が終わりに近いと判断した場合に、表示部８に光ディスクｄの寿命が終わりに近いことを示す所定の表示が行われるので、記録期間に基づいて寿命判断がなされることにより書換え不可能な光ディスクｄであっても寿命が判断されるとともに、光ディスクｄの寿命が終わりに近い場合には表示部８に所定の表示がなされることとなって、光ディスクｄの寿命をより確実にユーザに知らせることができる。
【００５７】
また、ＣＰＵ１４が第２寿命判断プログラム１６Ｄを実行することにより、光ピックアップ１による読取エラーの回数が所定回数以上の場合に、光ディスクｄの寿命が終わりに近いと判断され、ＣＰＵ１４が表示制御プログラム１６Ｅを実行することにより、第２寿命判断プログラム１６Ｄを実行することによって、光ディスクｄの寿命が終わりに近いと判断された場合に、表示部８に光ディスクｄの寿命が終わりに近いことを示す所定の表示が行われるので、読取エラーの回数に基づいて寿命判断がなされることにより書換え不可能な光ディスクｄであっても寿命が判断されるとともに、光ディスクｄの寿命が終わりに近い場合には表示部８に所定の表示がなされることとなって、光ディスクｄの寿命をより確実にユーザに知らせることができる。
【００５８】
また、ＣＰＵ１４が第１寿命判断プログラム１６Ｂを実行することにより、光ディスクｄのＲＭＡに記憶されている記録回数が所定値以上の場合に、光ディスクｄの寿命が終わりに近いと判断されるので、書換え可能な光ディスクｄの場合には、記録期間又は読取エラーの他に記録回数に基づいて寿命判断がなされることとなって、より確実に光ディスクｄの寿命を判断することができる。
【００５９】
また、ＣＰＵ１４が判別プログラム１６Ａを実行することにより、光ディスクｄが書換え可能か否かが判別され、ＣＰＵ１４が第１寿命判断プログラム１６Ｂを実行することにより、判別プログラム１６Ａを実行することによって光ディスクｄが書換え可能と判別された場合に、光ディスクｄのＲＭＡに記憶されている記録回数に基づく判断を行うので、書換え不可能な光ディスクｄの場合には記録回数に基づく判断が行われず、無駄に記録回数に基づく判断を行わないこととなって、より効率的に光ディスクｄの寿命を判断することができる。
【００６０】
また、ＣＰＵ１４が記憶制御プログラム１６Ｆを実行することにより、第１寿命判断プログラム１６Ｂ又は第２寿命判断プログラム１６Ｄによって、光ディスクｄの寿命が終わりに近いと判断された場合に、光ディスクｄに記録されているデータがＨＤＤ１１に記憶されるので、光ディスクｄの寿命により、当該光ディスクｄに記録されているデータを失ってしまうことを確実に防ぐことができる。
【００６１】
なお、本実施形態では、ＨＤＤ内蔵のディスク装置１００を例示して説明したが、ＨＤＤ１１が内蔵されていなくともよい。その場合には、ＣＰＵ１４が第１寿命判断プログラム１６Ｂ又は第２寿命判断プログラム１６Ｄを実行することにより、光ディスクｄの寿命が終わりに近いと判断した場合には、表示部８に光ディスクｄの寿命が終わりに近いことを示す所定の表示が表示されるだけでよい。
また、記録期間に基づく光ディスクの寿命判断における基準となる所定期間は、当該光ディスクの記録回数に応じて短い期間に変動してもよい。具体的には、記録回数と、当該記録回数における記録期間とを対応付けたデータを予め記憶しておき、当該データから記録回数に対応する記録期間を抽出し、寿命判断における基準としてもよい。
また、記録媒体として、ＨＤＤ１１を例示したが、ＶＣＲ等の他の記録媒体であってもよい。
【図面の簡単な説明】
【００６２】
【図１】本発明に係るディスク装置の概略構成を示す図である。
【図２】本発明に係るディスク装置の構成の一例を示すブロック図である。
【図３】本発明に係るディスク装置における寿命判断動作の一例を説明するフローチャートである。
【符号の説明】
【００６３】
１  光ピックアップ
１１  ＨＤＤ（記憶媒体）
１４  ＣＰＵ（判別手段，第１判断手段，第２判断手段，判断手段，表示制御手段，記憶制御手段）
１６Ａ  判別プログラム（判別手段）
１６Ｂ  第１寿命判断プログラム（第１判断手段，判断手段）
１６Ｄ  第２寿命判断プログラム（第２判断手段，判断手段）
１６Ｅ  表示制御プログラム（表示制御手段）
１６Ｆ  記憶制御プログラム（記憶制御手段）
１００  ディスク装置
ｄ  光ディスク
【図１】
2008165868.tif 000003
【図２】
2008165868.tif 000004
【図３】
2008165868.tif 000005